(57)【要約】打楽器としてのシンバルは一般的には、少なくともほぼ円形の傘状の環状領域（３）と、中央の湾曲したドーム（５）とを有している。本発明により提案されることは、シンバル表面の少なくとも一部分が、繋がっていない且つ／又は不規則な、例えば円周方向で延在する構造エレメント（９）を有することである。該構造エレメント（９）は有利には、回転するフライス盤工具を用いて生ぜしめられる微細切込みである。
2004507797.tif 000002
【特許請求の範囲】
【請求項１】
打楽器としてのシンバルであって、少なくともほぼ円形の傘状の環状領域（３）と、中心の湾曲したドーム（５）とが設けられている形式のものにおいて、シンバル表面の少なくとも一部が、繋がっていない且つ／又は不規則な、円周方向で延在する構造エレメント（９，１７，１９′，１９″）を有していることを特徴とするシンバル。
【請求項２】
構造エレメント（９，１７，１９′，１９″）が微細切込みである、請求項１記載のシンバル。
【請求項３】
構造エレメントが、フライス盤工具（３１，３５）により生ぜしめられた切込みから成っている、請求項１又は２記載のシンバル。
【請求項４】
構造エレメントがリングセグメント状（１９′，１９″）に且つ／又は部分面的に配置されている、請求項１から３までのいずれか１項記載のシンバル。
【請求項５】
構造エレメントの密度が場所に関してほぼ同じであるか又は様々である、請求項１から４までのいずれか１項記載のシンバル。
【請求項６】
構造エレメントが、外側もしくは上側の表面及び／又は内側もしくは下側の表面に配置されている、請求項１から５までのいずれか１項記載のシンバル。
【請求項７】
表面に、繋がっていない且つ／又は不規則な構造エレメントに並んで、繋がった溝及び／又はハンマリングされた領域及び／又はその他の形式で加工された表面領域が位置している、請求項１から６までのいずれか１項記載のシンバル。
【請求項８】
特に請求項１から７までのいずれか１項記載のシンバル（１）を製作する方法において、表面処理を、回転する工具を用いて行うことを特徴とする、シンバルを製作する方法。
【請求項９】
外側から内側に又は内側から外側に表面を、回転するフライスもしくはフライス盤工具（３１，３５）を用いて部分的に又は少なくともほぼ全面的に加工する、請求項８記載の方法。
【請求項１０】
回転する工具を表面加工時に、個々の構造エレメントの大小の切込み深さを製作するために、強く又は弱くシンバル表面に対して案内する、請求項８又は９記載の方法。
【発明の詳細な説明】
【０００１】
本発明は請求項１の上位概念部に記載された形式のシンバルに関する。このシンバルは主に、打楽器として使用されるか、又は特に打楽器群もしくはドラムセット及びこれに類するもののように、複数の打楽器と組み合わされて使用される。
【０００２】
シンバルは主にブロンズつまり銅と錫の合金か、別の銅合金か、又は場合によっては別の適当な金属又は金属合金から成っており、シンバルは一般的にはその表面に、単数又は複数の、切削加工で製作された溝が設けられ、この溝はほぼ同心的に外側から内側にかけて延在して、シンバル表面上を延びている。切削加工で製作されたこれらの溝により、特有のサウンドパターンもしくは鳴りが生ぜしめられる。
【０００３】
常に新しい音楽スタイル傾向と、特に多種多様な分野での打楽器及びリズム楽器の使用とに基づいて、シンバルの場合も他の楽器と同様に常に新しいサウンド特性もしくは鳴りを発展させることは永遠の課題である。
【０００４】
それゆえ本発明の課題は、新しいサウンド特性もしくは鳴りを有するシンバルを提供することである。
【０００５】
本発明により上記課題は、請求項１の特徴部に記載した特徴を備えたシンバルにより解決される。
【０００６】
ほぼ繋がった溝をシンバル表面に設けるために、例えば切削工具もしくはバイトのような切削加工を行う工具を使用する代わりに、本発明により提案されることは、例えばフライス盤工具を使用することであって、これにより、繋がっていないか又は不規則に繋がった、シンバル表面の円周方向で環状に延在する構造が形成される。この際に生じる構造エレメントは微細切込みであることができて、微細切込みは、中断された溝の形で例えば外側から内側にかけて、シンバル表面の外面もしくは上面又は内面もしくは下面を延在している。これらの不規則な且つ／又は中断された構造エレメントは、全面的にシンバル表面の上面又は下面に配置され得るが、しかし部分面的に、例えば同心的にシンバル表面を延在するリング状のセグメントの形で配置されることも可能である。
【０００７】
本発明により提案された、不規則な且つ／又は中断された構造を作ることは、有利には回転する工具、例えば回転するフライスもしくはフライス盤工具を用いて行われる。
【０００８】
以下に図面を参照しながら本発明の実施例について詳説する。
【０００９】
図１にはシンバル１が示されており、シンバル１は、傘状に湾曲した環状領域３つまりボウと、例えばシンバルをスタンドに掛けて配置するための、中心の穴７を備えた中心のドーム５つまりカップとを有している。特に傘状の環状領域３には概略的にのみ、繋がっていない構造９が示されており、該構造９はほぼ全面にわたって前記環状領域上を円周方向で延在している。
【００１０】
図２には別の変化実施例が示されており、傘状の環状領域３において、外側のエッジ部には本発明による中断された構造１９′が配置されており、さらに中心部にも中央のドーム５に移行する領域にそのような構造が配置されている。本発明による構造を備えた両方のリングセグメント状（ｒｉｎｇｓｅｇｍｅｎｔａｒｔｉｇ）の領域１９′と領域１９″との間には環状の領域２１が延在しており、この環状の領域２１は、従来のシンバルにおいて知られているように、完全にフラットであってもよいし、ハンマリングされた構造を有していてもよいし、溝状の構造を有していてもよい。図２に示した図が単なる例示的なものにすぎないことは自明であって、本発明により形成されたリングセグメント状の領域をより多く配置しても、リングセグメント状の領域を、図２に示したものとは異なる箇所に配置しても全く問題はない。
【００１１】
図３ａには概略的に、背景技術でよく知られているような従来の溝構造が示されている。
【００１２】
図３ａに対して、図３ｂ及び図３ｃには本発明による表面構造が示されており、図３ａと比較して明確に判別可能であることは、図３ｂに示した構造が不規則であって、図３ｃに示した構造が部分的に中断されていることと、これらの構造が個々の切込み１７もしくは１８から成っている一方で、図３ａでは一貫して連続した溝１６を認めることができることである。
【００１３】
溝を備えた背景技術によるシンバルと、本発明により提案された、中断された構造を備えたシンバルとの間でサウンドもしくは鳴りを比較してみると、明らかな相違が提示される。本発明によるシンバルから発生されるサウンドもしくは鳴りはより粗く、あまり直線的ではなく、あまり洗練されておらず、より持続性であり、且つサウンドの減衰はより少ない。特に、本発明によるシンバルは、溝を備えた従来のシンバルと比べて異なる振動特性を示す。
【００１４】
図３ａに示した構造を製作するために通常は切削加工を行うバイト（Ｓｃｈｎｅｉｄｓｔａｈｌ）が使用されるのに対して、図３ｂ及び図３ｃに示した不規則な又は中断された構造を製作するためには、有利には回転する工具、例えば回転するフライスもしくはフライス盤工具が使用される。
【００１５】
図４ａ及び図４ｂにはこの種のフライス盤工具の２つの例３１もしくは３５が示されており、それぞれ１つの軸３２に、相応の円錐形のフライスヘッド３３もしくはほぼ球形のフライスヘッド３７が配置されており、それぞれフライス溝を有している。
【００１６】
図４ａ及び図４ｂに示したフライス盤工具は、本発明を説明し易くするための例にすぎないことは自明である。
【００１７】
図１から図４に示したシンバル及びフライス盤工具は本発明を説明するための例にすぎないことは自明である。特に本発明は、シンバルの製作のために使用される金属もしくは金属合金にも依存しない。一般的にはブロンズが使用されるが、シンバルをブラス又は別の金属又は金属合金から製作することも当然可能である。
【００１８】
中断された構造の幾何学的な配置もそれ自体としては規定されているわけではなく、それゆえ構造を全面的に、部分面的に、より高い密度にもより低い密度にも、リングセグメント状に等々、つまり種々多様な形式で配置することが可能である。中断された構造の切込み深さは、生ぜしめたいサウンドパターンもしくは鳴りに応じて変えることもできる。
【図面の簡単な説明】
【図１】
本発明により形成されたシンバルの、上方からの斜視図である。
【図２】
本発明によるシンバルの別の変化実施例を示す図である。
【図３】
表面構造を示す図であって、図３ａは従来公知の溝を示す図であって、図３ｂ及び図３ｃは本発明による中断された構造を示す図である。
【図４】
本発明による表面構造を製作するために使用され得る、可能なフライス盤工具を示す図である。
【国際公開パンフレット】
2004507797.tif 000003
2004507797.tif 000004
2004507797.tif 000005
2004507797.tif 000006
2004507797.tif 000007
2004507797.tif 000008
2004507797.tif 000009
2004507797.tif 000010
2004507797.tif 000011
2004507797.tif 000012
2004507797.tif 000013
【手続補正書】
【提出日】平成14年7月30日(2002.7.30)
【手続補正１】
【補正対象書類名】明細書
【補正対象項目名】特許請求の範囲
【補正方法】変更
【補正の内容】
【特許請求の範囲】
【請求項１】
打楽器としてのシンバルであって、少なくともほぼ円形の傘状の環状領域（３）と、中心の湾曲したドーム（５）とが設けられている形式のものにおいて、シンバル表面の少なくとも一部が、繋がっていない且つ／又は不規則な、円周方向で延在する構造エレメント（９，１７，１９′，１９″）を有しており、該構造エレメントが、フライス盤工具（３１，３５）により生ぜしめられた切込みから成っていることを特徴とするシンバル。
【請求項２】
構造エレメント（９，１７，１９′，１９″）が微細切込みである、請求項１記載のシンバル。
【請求項３】
構造エレメントがリングセグメント状（１９′，１９″）に且つ／又は部分面的に配置されている、請求項１又は２記載のシンバル。
【請求項４】
構造エレメントの密度が場所に関してほぼ同じであるか又は様々である、請求項１から３までのいずれか１項記載のシンバル。
【請求項５】
構造エレメントが、外側もしくは上側の表面及び／又は内側もしくは下側の表面に配置されている、請求項１から４までのいずれか１項記載のシンバル。
【請求項６】
表面に、繋がっていない且つ／又は不規則な構造エレメントに並んで、繋がった溝及び／又はハンマリングされた領域及び／又はその他の形式で加工された表面領域が位置している、請求項１から５までのいずれか１項記載のシンバル。
【請求項７】
特に請求項１から６までのいずれか１項記載のシンバル（１）を製作する方法において、表面処理を、回転する工具を用いて行うことを特徴とする、シンバルを製作する方法。
【請求項８】
外側から内側に又は内側から外側に表面を、回転するフライスもしくはフライス盤工具（３１，３５）を用いて部分的に又は少なくともほぼ全面的に加工する、請求項７記載の方法。
【請求項９】
回転する工具を表面加工時に、個々の構造エレメントの大小の切込み深さを製作するために、強く又は弱くシンバル表面に対して案内する、請求項７又は８記載の方法。
【手続補正２】
【補正対象書類名】明細書
【補正対象項目名】０００２
【補正方法】変更
【補正の内容】
【０００２】
シンバルは主にブロンズつまり銅と錫の合金か、別の銅合金か、又は場合によっては別の適当な金属又は金属合金から成っており、シンバルは一般的にはその表面に、単数又は複数の、切削加工で製作された溝が設けられ、この溝はほぼ同心的に外側から内側にかけて延在して、シンバル表面上を延びている。切削加工で製作されたこれらの溝により、特有のサウンドパターンもしくは鳴りが生ぜしめられる。
アメリカ合衆国特許第６０３４３１３号明細書において提案されたシンバルはその表面に、多数の、直線状且つ調性の切込みを有している。これらの切込みは一般的に、放射状に且つ直線的に、シンバル表面の中心から外側のエッジ部に向かって延びている。




【国際調査報告】
2004507797.tif 000014
2004507797.tif 000015
2004507797.tif 000016
2004507797.tif 000017